(57)【要約】【課題】意匠性を向上させることができるパネル及びパネルの取り付け方法を提供する。【解決手段】壁に取り付けられるパネルであって、前面と、背面と、側面と、上面と、を有するパネル本体と、前記パネル本体の側方及び上方に設けられる見切りと、を備え、前記見切りは、前記パネル本体の前記側面と前記前面の側端部とを覆う第１の見切りと、前記パネル本体の前記上面と前記前面の上端部とを覆う第２の見切りと、を有し、前記第１の見切り及び前記第２の見切りの一方は、前記第１の見切り及び前記第２の見切りの他方が嵌め込まれる嵌合部を有することを特徴とするパネル。【選択図】図８
2020051073.tif 000002
【特許請求の範囲】
【請求項１】
壁に取り付けられるパネルであって、
前面と、背面と、側面と、上面と、を有するパネル本体と、
前記パネル本体の側方及び上方に設けられる見切りと、
を備え、
前記見切りは、
前記パネル本体の前記側面と前記前面の側端部とを覆う第１の見切りと、
前記パネル本体の前記上面と前記前面の上端部とを覆う第２の見切りと、
を有し、
前記第１の見切り及び前記第２の見切りの一方は、前記第１の見切り及び前記第２の見切りの他方が嵌め込まれる嵌合部を有することを特徴とするパネル。
【請求項２】
前記第１の見切りは、前記パネル本体の前記側面に対する前記第１の見切りの左右方向の位置を調整可能であることを特徴とする請求項１記載のパネル。
【請求項３】
前記嵌合部は、前記第１の見切りに設けられることを特徴とする請求項２記載のパネル。
【請求項４】
前記第１の見切りは、前記パネル本体の前記側面を覆うための側面部と、前記パネル本体の前記前面の前記側端部を覆うための第１前面部と、を有し、
前記第２の見切りは、前記パネル本体の前記前面の前記上端部を覆うための第２前面部と、前記パネル本体の前記上面を覆うための上面部と、を有し、
前記嵌合部は、前記側面部と一体に形成され前記側面部と連続する嵌合側面部と、前記第１前面部と一体に形成され前記第１前面部と連続する嵌合前面部と、前記嵌合側面部及び前記嵌合前面部と一体に形成され、前記嵌合側面部及び前記嵌合前面部のそれぞれに対して略垂直に設けられる嵌合上面部と、を有し、
前記嵌合前面部は、前記第２前面部を覆い、
前記嵌合上面部は、前記上面部を覆うことを特徴とする請求項３記載のパネル。
【請求項５】
前記第１前面部の左右方向の長さは、前記側面部の左右方向の長さよりも長いことを特徴とする請求項４記載のパネル。
【請求項６】
前記第２前面部の上下方向の長さは、前記第１前面部の左右方向の長さよりも短いことを特徴とする請求項４または５に記載のパネル。
【請求項７】
前記第２の見切りは、前記パネル本体の前記上面に対する前記第２の見切りの上下方向の位置を調整可能であることを特徴とする請求項１記載のパネル。
【請求項８】
前記嵌合部は、前記第２の見切りに設けられることを特徴とする請求項７記載のパネル。
【請求項９】
前記第１の見切りは、前記パネル本体の前記側面を覆うための側面部と、前記パネル本体の前記前面の前記側端部を覆うための第１前面部と、を有し、
前記第２の見切りは、前記パネル本体の前記前面の前記上端部を覆うための第２前面部と、前記パネル本体の前記上面を覆うための上面部と、を有し、
前記嵌合部は、前記第２前面部と一体に形成され前記第２前面部と連続する嵌合前面部と、前記上面部と一体に形成され前記上面部と連続する嵌合上面部と、前記嵌合前面部及び前記嵌合上面部と一体に形成され、前記嵌合前面部及び前記嵌合上面部のそれぞれに対して略垂直に設けられる嵌合側面部と、を有し、
前記嵌合側面部は、前記側面部を覆い、
前記嵌合前面部は、前記第１前面部を覆うことを特徴とする請求項８記載のパネル。
【請求項１０】
前記第２前面部の上下方向の長さは、前記上面部の上下方向の長さよりも長いことを特徴とする請求項９記載のパネル。
【請求項１１】
前記パネルを壁に固定するための両面テープと接着剤とをさらに備え、
前記両面テープは、前記パネル本体の前記背面において、前記見切りから離間した位置に設けられ、
前記接着剤は、前記パネル本体の前記背面において、前記両面テープと前記見切りとの間に設けられることを特徴とする請求項１〜１０のいずれか１つに記載のパネル。
【請求項１２】
請求項１〜１０のいずれか１つに記載のパネルを壁に取り付ける方法であって、
前記パネル本体の前記背面において、前記見切りから離間した位置に両面テープを設ける工程と、
前記パネル本体の前記背面において、前記両面テープと前記見切りとの間に接着剤を設ける工程と、
前記パネルを前記壁に設置し、前記接着剤が硬化する前に前記見切りの位置を調整する工程と、
前記接着剤を硬化させて、前記両面テープと前記接着剤とによって前記パネルを前記壁に固定する工程と、
を備えることを特徴とするパネルの取付方法。
【発明の詳細な説明】
【技術分野】
【０００１】
本発明の態様は、一般的に、パネル及びパネルの取り付け方法に関する。
【背景技術】
【０００２】
手洗器や、洗面化粧台、キッチンなどの水回り機器の周辺の壁において、水撥ねなどから壁紙を守り、意匠性を向上させるためにパネルを設けることが知られている。
【０００３】
例えば、手洗器や洗面器の背面のみにパネルを設置する場合には、手洗器や洗面器の横幅に応じてパネルのサイズが決まる。また、手洗器や洗面器を背面とする壁一面にパネルを設置する場合には、その側壁から対向する側壁までの空間サイズに応じてパネルのサイズが決まる。また、手洗器や洗面器を設置するカウンターの横幅に応じてパネルを設置する場合には、カウンターのサイズに合わせてパネルサイズが決まる。
【０００４】
このように、施工現場ごとにパネルのサイズは異なるため、施工現場でパネルを切断するなどの加工を行う場合がある。施工現場においてパネルの切断などの加工を行うと、正確な寸法で切断できなかった場合に切断面が歪んで意匠性が悪化したり、切断面にバリ・エッジが生じて安全性が低下したり、パネルの端部が欠けたりする恐れがある。そこで、パネル本体の端面（切断面）を見切りによって覆うことが知られている。
【０００５】
特に、側壁から対向する側壁までパネルを配置する場合、側壁を傷つけないように、パネルを側壁に接触させずに設置（施工）する必要がある。そのため、側壁から対向する側壁までの長さよりも短くなるようにパネルを切断して設置し、その後側壁とパネルとの間の隙間をコーキング材で埋めたり、パネルや見切りとは別体の隙間埋め部材を利用して隙間を埋めたりすることが行われている。
【先行技術文献】
【特許文献】
【０００６】
【特許文献１】特開２０１０−１２６９０８号公報
【特許文献２】特開２００９−１９１５３１号公報
【特許文献３】特許第４９１８８１７号公報
【発明の概要】
【発明が解決しようとする課題】
【０００７】
例えば、パネル本体の側方及び上方に見切りを設ける場合、側方側の見切りと上方側の見切りとを、コーナーピースによって接続することが考えられる。しかし、コーナーピースを設けると、パネルのコーナー部に存在感が出てしまい、パネルの意匠性が悪化するという問題がある。
【０００８】
また、例えば、側壁付近にパネルを設置し、側壁とパネルとの間の隙間をコーキング材で埋める場合、コーキングの施工バラつきにより均一幅のコーキングが実現できない場合もあり、意匠性が低下するという問題がある。また、パネルのカット辺が歪んだ場合には、歪みに合わせてコーキングを打つこととなり、コーキングが均一でないために意匠性が低下するという問題がある。また、別体の隙間埋め部材を用いる場合、側壁とパネルとの間の隙間は埋まるが、パネルの切断によるカット幅のバラつきや切断する辺の歪みは露出したままとなり、意匠性が低下するという問題がある。
【０００９】
本発明は、かかる課題の認識に基づいてなされたものであり、意匠性を向上させることができるパネル及びパネルの取り付け方法を提供することを目的とする。
【課題を解決するための手段】
【００１０】
第１の発明は、壁に取り付けられるパネルであって、前面と、背面と、側面と、上面と、を有するパネル本体と、前記パネル本体の側方及び上方に設けられる見切りと、を備え、前記見切りは、前記パネル本体の前記側面と前記前面の側端部とを覆う第１の見切りと、前記パネル本体の前記上面と前記前面の上端部とを覆う第２の見切りと、を有し、前記第１の見切り及び前記第２の見切りの一方は、前記第１の見切り及び前記第２の見切りの他方が嵌め込まれる嵌合部を有することを特徴とするパネルである。
【００１１】
このパネルによれば、第１の見切りと第２の見切りとを嵌合部によって接続することで、パネルのコーナー部分に存在感が出ることを抑制できる。これにより、パネルの意匠性を向上させることができる。また、このパネルによれば、パネルのサイズ変更に伴い、見切りの端部（例えば、第２の見切りの側端部あるいは第１の見切りの上端部）を切断した場合にも、見切りの切断部分を嵌合部の内部に収納することができる。これにより、例えば、カウンターの長さとパネルの長さとを揃えることで意匠性を向上させることができるとともに、切断時にパネル本体や見切りの端部に歪みが生じた場合にも、見切りによって切断部分を隠すことができるため、意匠性が悪化することを抑制できる。また、これにより、使用者が見切りの切断部分でけがをすることを抑制でき、安全性を向上させることができる。
【００１２】
第２の発明は、第１の発明において、前記第１の見切りは、前記パネル本体の前記側面に対する前記第１の見切りの左右方向の位置を調整可能であることを特徴とするパネルである。
【００１３】
このパネルによれば、第１の見切りの左右方向の位置を調整することで、パネル本体の側面よりも外側に位置する部分の長さを調整することができる。換言すれば、パネルの左右方向の長さを調整することができる。これにより、パネルとパネル側方の壁との間の隙間を埋めることができ、意匠性をさらに向上させることができる。また、パネル本体を切断する際にパネル本体の左右方向の長さが短くなってしまった場合にも、見切りの位置を調整することで、パネルの左右方向の長さを所望の長さに近づけることができる。
【００１４】
第３の発明は、第２の発明において、前記嵌合部は、前記第１の見切りに設けられることを特徴とするパネルである。
【００１５】
このパネルによれば、嵌合部を第１の見切りに設けることで、第１の見切りの左右方向の位置を調整しやすくなる。これにより、パネルとパネル側方の壁との間の隙間を埋めやすくなるため、意匠性をさらに向上させることができる。
【００１６】
第４の発明は、第３の発明において、前記第１の見切りは、前記パネル本体の前記側面を覆うための側面部と、前記パネル本体の前記前面の前記側端部を覆うための第１前面部と、を有し、前記第２の見切りは、前記パネル本体の前記前面の前記上端部を覆うための第２前面部と、前記パネル本体の前記上面を覆うための上面部と、を有し、前記嵌合部は、前記側面部と一体に形成され前記側面部と連続する嵌合側面部と、前記第１前面部と一体に形成され前記第１前面部と連続する嵌合前面部と、前記嵌合側面部及び前記嵌合前面部と一体に形成され、前記嵌合側面部及び前記嵌合前面部のそれぞれに対して略垂直に設けられる嵌合上面部と、を有し、前記嵌合前面部は、前記第２前面部を覆い、前記嵌合上面部は、前記上面部を覆うことを特徴とするパネルである。
【００１７】
このパネルによれば、嵌合部を第１の見切りに一体に形成することで、パネルのコーナー部分に存在感が出ることをさらに抑制でき、意匠性をさらに向上させることができる。
【００１８】
第５の発明は、第４の発明において、前記第１前面部の左右方向の長さは、前記側面部の左右方向の長さよりも長いことを特徴とするパネルである。
【００１９】
このパネルによれば、第１前面部の左右方向の長さを側面部の左右方向の長さよりも長くすることで、第１の見切りの左右方向の位置をより調整しやすくなる。これにより、パネルとパネル側方の壁との間の隙間を埋めやすくなるため、意匠性をさらに向上させることができる。
【００２０】
第６の発明は、第４または第５の発明において、前記第２前面部の上下方向の長さは、前記第１前面部の左右方向の長さよりも短いことを特徴とするパネルである。
【００２１】
このパネルによれば、第２の見切りの前面部（第２前面部）の上下方向の長さを短くすることで、第２の見切りの存在感を抑制でき、意匠性を向上させることができる。また、このパネルによれば、第１の見切りの前面部（第１前面部）の左右方向の長さを長くすることで、第１の見切りの左右方向の位置を調整できる範囲を広くすることができる。これにより、パネルとパネル側方の壁との間の隙間を埋めやすくなるため、意匠性をさらに向上させることができる。
【００２２】
第７の発明は、第１の発明において、前記第２の見切りは、前記パネル本体の前記上面に対する前記第２の見切りの上下方向の位置を調整可能であることを特徴とするパネルである。
【００２３】
このパネルによれば、第２の見切りの上下方向の位置を調整することで、パネル本体の上面よりも上側に位置する部分の長さを調整することができる。換言すれば、パネルの上下方向の長さを調整することができる。
【００２４】
第８の発明は、第７の発明において、前記嵌合部は、前記第２の見切りに設けられることを特徴とするパネルである。
【００２５】
このパネルによれば、嵌合部を第２の見切りに設けることで、第２の見切りの上下方向の位置を調整しやすくなる。
【００２６】
第９の発明は、第８の発明において、前記第１の見切りは、前記パネル本体の前記側面を覆うための側面部と、前記パネル本体の前記前面の前記側端部を覆うための第１前面部と、を有し、前記第２の見切りは、前記パネル本体の前記前面の前記上端部を覆うための第２前面部と、前記パネル本体の前記上面を覆うための上面部と、を有し、前記嵌合部は、前記第２前面部と一体に形成され前記第２前面部と連続する嵌合前面部と、前記上面部と一体に形成され前記上面部と連続する嵌合上面部と、前記嵌合前面部及び前記嵌合上面部と一体に形成され、前記嵌合前面部及び前記嵌合上面部のそれぞれに対して略垂直に設けられる嵌合側面部と、を有し、前記嵌合側面部は、前記側面部を覆い、前記嵌合前面部は、前記第１前面部を覆うことを特徴とするパネルである。
【００２７】
このパネルによれば、嵌合部を第２の見切りに一体に形成することで、パネルのコーナー部分に存在感が出ることをさらに抑制でき、意匠性をさらに向上させることができる。
【００２８】
第１０の発明は、第９の発明において、前記第２前面部の上下方向の長さは、前記上面部の上下方向の長さよりも長いことを特徴とするパネルである。
【００２９】
このパネルによれば、第２前面部の上下方向の長さを上面部の上下方向の長さよりも長くすることで、第２の見切りの上下方向の位置をより調整しやすくなる。
【００３０】
第１１の発明は、第１〜第１０のいずれか１つの発明において、前記パネルを壁に固定するための両面テープと接着剤とをさらに備え、前記両面テープは、前記パネル本体の前記背面において、前記見切りから離間した位置に設けられ、前記接着剤は、前記パネル本体の前記背面において、前記両面テープと前記見切りとの間に設けられることを特徴とするパネルである。
【００３１】
このパネルによれば、両面テープと見切りとの間に接着剤を設けることで、両面テープによってパネル本体を壁に固定するとともに、接着剤によって見切りを壁に固定することができる。これにより、パネルを壁に対してしっかりと固定することができる。
【００３２】
第１２の発明は、第１〜第１０のいずれか１つの発明のパネルを壁に取り付ける方法であって、前記パネル本体の前記背面において、前記見切りから離間した位置に両面テープを設ける工程と、前記パネル本体の前記背面において、前記両面テープと前記見切りとの間に接着剤を設ける工程と、前記パネルを前記壁に設置し、前記接着剤が硬化する前に前記見切りの位置を調整する工程と、前記接着剤を硬化させて、前記両面テープと前記接着剤とによって前記パネルを前記壁に固定する工程と、を備えることを特徴とするパネルの取付方法である。
【００３３】
このパネルの取り付け方法によれば、両面テープと見切りとの間に接着剤を設けることで、両面テープによってパネル本体を壁に固定するとともに、接着剤によって見切りを壁に固定することができる。これにより、パネルを壁に対してしっかりと固定することができる。また、見切りの位置を調整することで、例えば、パネルとパネル側方の壁との間の隙間を埋め、意匠性をさらに向上させることができる。
【発明の効果】
【００３４】
本発明の態様によれば、意匠性を向上させることができるパネル及びパネルの取り付け方法が提供される。
【図面の簡単な説明】
【００３５】
【図１】実施形態に係るパネルを備えたトイレシステムを模式的に表す斜視図である。
【図２】実施形態に係るパネルを模式的に表す分解斜視図である。
【図３】図３（ａ）及び図３（ｂ）は、実施形態に係るパネルの一部を模式的に表す分解斜視図である。
【図４】図４（ａ）及び図４（ｂ）は、実施形態に係るパネルの一部を模式的に表す断面図である。
【図５】図５（ａ）及び図５（ｂ）は、実施形態に係るパネルの一部を模式的に表す断面図である。
【図６】図６（ａ）及び図６（ｂ）は、実施形態に係るパネルの一部を模式的に表す断面図である。
【図７】図７（ａ）及び図７（ｂ）は、実施形態に係るパネルの一部を模式的に表す斜視図である。
【図８】図８（ａ）及び図８（ｂ）は、実施形態に係るパネルの一部を模式的に表す斜視図である。
【図９】図９（ａ）及び図９（ｂ）は、実施形態に係るパネルの一部を模式的に表す斜視図である。
【図１０】図１０（ａ）及び図１０（ｂ）は、実施形態に係るパネルの一部を模式的に表す斜視図である。
【図１１】実施形態に係るパネルの一部を模式的に表す背面図である。
【発明を実施するための形態】
【００３６】
以下、本発明の実施の形態について図面を参照しつつ説明する。なお、各図面中、同様の構成要素には同一の符号を付して詳細な説明は適宜省略する。  
図１は、実施形態に係るパネルを備えたトイレシステムを模式的に表す斜視図である。  図１に表したように、トイレシステム５００は、例えば、パネル１００と、キャビネット２００と、手洗器３００と、を備える。
【００３７】
パネル１００及びキャビネット２００は、例えば、トイレ室ＴＲの第１の側壁ＳＷ１に取り付けられる。手洗器３００は、例えば、キャビネット２００の天板（カウンター）の上に載置される。パネル１００は、例えば、キャビネット２００の上方、かつ手洗器３００の後方に設けられる。
【００３８】
本願明細書においては、パネル１００と向き合う使用者からみて手前側を「前方」とし、奥側を「後方」とし、上側を「上方」とし、下側を「下方」とし、右側を「右側方」とし、左側を「左側方」とする。
【００３９】
この例では、キャビネット２００の下端と床面ＦＳとの間に空間が設けられている。換言すれば、キャビネット２００は、床面ＦＳから上方に離間する位置に設けられている。キャビネット２００は、例えば、床面ＦＳに載置されていてもよい。また、この例では、キャビネット２００の左側方側の端面は、トイレ室ＴＲの第２の側壁ＳＷ２によって塞がれている。第２の側壁ＳＷ２は、トイレ室ＴＲの左側方側の側壁である。
【００４０】
この例では、パネル１００の左右方向の長さ（幅）は、キャビネット２００の左右方向の長さ（幅）と、実質的に同じである。また、パネル１００の左側方側の端面は、トイレ室ＴＲの第２の側壁ＳＷ２によって塞がれている。
【００４１】
例えば、図１に表したように、パネル１００の幅とキャビネット２００の幅とを揃え、かつ、第２の側壁ＳＷ２の周辺にパネル１００を配置する場合、第２の側壁ＳＷ２を傷つけないように、第２の側壁ＳＷ２に接触しない長さになるように切断したパネル１００を使用する。そのため、パネル１００と第２の側壁ＳＷ２との間に隙間が形成され、意匠性が低下する恐れがある。したがって、パネル１００を設置する際には、パネル１００と第２の側壁ＳＷ２との間の隙間を埋めることが求められる。
【００４２】
なお、この例では、パネル１００は、トイレ室ＴＲの手洗器３００の周辺の壁（第１の側壁ＳＷ１）に取り付けられているが、パネル１００は、これに限定されず、洗面所の洗面化粧台の周辺の壁や、キッチンの壁などに取り付けられてもよい。パネル１００は、例えば、水回り機器の周辺の壁に設けられる。
【００４３】
図２は、実施形態に係るパネルを模式的に表す分解斜視図である。  
図３（ａ）及び図３（ｂ）は、実施形態に係るパネルの一部を模式的に表す分解斜視図である。  
なお、図３（ａ）は、図２に示した領域Ｒ１を前方側から見た斜視図であり、図３（ｂ）は、図２に示した領域Ｒ１を後方側から見た斜視図である。  
図２、図３（ａ）、及び図３（ｂ）に表したように、パネル１００は、パネル本体１０と、パネル本体１０の側方、上方、及び下方に設けられる見切り２０と、を備える。なお、見切り２０は、パネル本体１０の下方には設けられなくてもよい。
【００４４】
パネル本体１０は、例えば、上下方向及び左右方向に拡がる平板状であり、前面１０ａ、背面１０ｂ、側面１０ｃ、上面１０ｄ、及び下面１０ｅを有する。前面１０ａ、背面１０ｂ、側面１０ｃ、上面１０ｄ、及び下面１０ｅは、それぞれ、例えば、略矩形状の平面である。この平面は、加工時に生じる凹凸などを含んでもよい。パネル本体１０は、例えば、繊維強化セメント板、ケイ酸カルシウム板などである。このような材料であれば、切断などの加工がしやすい。
【００４５】
見切り２０は、例えば、アルミニウムなどの金属製またはアクリルニトリル・ブタジエン・スチレン（ＡＢＳ）、ポリ塩化ビニル（ＰＶＣ）、及びポリスチレン（ＰＳ）などの樹脂製である。樹脂製であれば、製造しやすく、切断などの加工もしやすい。見切り２０は、例えば、第１〜第４の見切り２１〜２４を有する。
【００４６】
第１の見切り２１は、パネル本体１０の側方に設けられる。この例では、第１の見切り２１は、パネル本体１０の左側方側の端部に設けられている。第１の見切り２１は、例えば、上下方向に延びる。第１の見切り２１は、パネル本体１０の側面１０ｃと前面１０ａの側端部１０ａｘとを覆う。また、第１の見切り２１は、例えば、パネル本体１０の背面１０ｂの側端部１０ｂｘを覆う。なお、側端部１０ａｘ及び側端部１０ｂｘは、例えば、左右方向の幅を持った領域である。
【００４７】
第２の見切り２２は、パネル本体１０の上方に設けられる。第２の見切り２２は、例えば、左右方向に延びる。第２の見切り２２は、パネル本体１０の上面１０ｄと前面１０ａの上端部１０ａｙとを覆う。また、第２の見切り２２は、例えば、パネル本体１０の背面１０ｂの上端部１０ｂｙを覆う。なお、上端部１０ａｙ及び上端部１０ｂｙは、例えば、上下方向の幅を持った領域である。
【００４８】
第３の見切り２３は、パネル本体１０の側方に設けられる。この例では、第３の見切り２３は、パネル本体１０の右側方側の端部に設けられている。第３の見切り２３は、例えば、左右が逆転する以外は、第１の見切り２１と同じものである。この例では、パネル本体１０の左側方側の端部に設けられる見切り２０を第１の見切り２１、パネル本体１０の右側方側の端部に設けられる見切り２０を第３の見切り２３、としているが、第１の見切り２１と第３の見切り２３とは逆であってもよい。
【００４９】
第４の見切り２４は、パネル本体１０の下方に設けられる。第４の見切り２４は、例えば、左右方向に延びる。第４の見切り２４は、パネル本体１０の下面１０ｅと前面１０ａの下端部１０ａｚとを覆う。また、第４の見切り２４は、例えば、パネル本体１０の背面１０ｂの下端部１０ｂｚを覆う。なお、下端部１０ａｚ及び下端部１０ｂｚは、例えば、上下方向の幅を持った領域である。第４の見切り２４は、例えば、上下が逆転する以外は、第２の見切り２２と同じものである。第４の見切り２４は、必要に応じて設けられ、省略可能である。
【００５０】
パネル本体１０にこのような見切り２０を設けることで、パネル本体１０の上下方向及び左右方向の端面を見切り２０で隠すことができる。これにより、パネル１００の意匠性を向上させることができる。また、パネル本体１０を切断するなどの加工をした際にパネル本体１０の端面（切断面）にバリ・エッジなどの凹凸が生じた場合にも、見切り２０により端面を覆うことで、安全性を向上させることができる。
【００５１】
図４（ａ）及び図４（ｂ）は、実施形態に係るパネルの一部を模式的に表す断面図である。  
なお、図４（ｂ）は、図４（ａ）に示した領域Ｒ２の拡大図である。  
図４（ａ）及び図４（ｂ）に表したように、第１の見切り２１は、例えば、パネル本体１０の側面１０ｃを覆うための側面部２１ａと、パネル本体１０の前面１０ａの側端部１０ａｘを覆うための前面部（第１前面部）２１ｂと、パネル本体１０の背面１０ｂの側端部１０ｂｘを覆うための背面部（第１背面部）２１ｃと、を有する。
【００５２】
側面部２１ａは、例えば、前後方向及び上下方向に拡がる。側面部２１ａは、パネル本体１０の側面１０ｃの側方（この例では、左側方）に位置する。側面部２１ａは、パネル本体１０の側面１０ｃと対向する面（第１対向面）を有する。
【００５３】
前面部２１ｂは、例えば、左右方向及び上下方向に拡がる。前面部２１ｂは、例えば、側面部２１ａに対して略垂直に接続される。前面部２１ｂは、パネル本体１０の前面１０ａよりも前方に位置する。前面部２１ｂの少なくとも一部は、パネル本体１０の前面１０ａの側端部１０ａｘの前方に位置する。前面部２１ｂは、パネル本体１０の前面１０ａ（側端部１０ａｘ）と対向する面（第２対向面）を有する。
【００５４】
背面部２１ｃは、例えば、左右方向及び上下方向に拡がる。背面部２１ｃは、例えば、側面部２１ａに対して略垂直に接続される。背面部２１ｃは、パネル本体１０の背面１０ｂよりも後方に位置する。背面部２１ｃの少なくとも一部は、パネル本体１０の背面１０ｂの側端部１０ｂｘの後方に位置する。背面部２１ｃは、パネル本体１０の背面１０ｂ（側端部１０ｂｘ）と対向する面（第３対向面）を有する。
【００５５】
前面部２１ｂと背面部２１ｃとの間の距離Ｄ１は、パネル本体１０の厚さ（前後方向の長さ）ＴＸと実質的に同じであるか、パネル本体１０の厚さＴＸよりも大きい。パネル本体１０の厚さＴＸは、例えば、３．２ｍｍ程度である。前面部２１ｂと背面部２１ｃとの間の距離Ｄ１は、例えば、３．５ｍｍ程度である。距離Ｄ１は、換言すれば、側面部２１ａの第１対向面の前後方向の長さである。
【００５６】
この例では、前面部２１ｂの幅（左右方向の長さ）Ｗ１は、背面部２１ｃの幅（左右方向の長さ）Ｗ２と実質的に同じである。前面部２１ｂの幅Ｗ１及び背面部２１ｃの幅Ｗ２は、例えば、１０ｍｍ程度である。前面部２１ｂの幅Ｗ１は、換言すれば、前面部２１ｂの第２対向面の左右方向の長さである。背面部２１ｃの幅Ｗ２は、換言すれば、背面部２１ｃの第３対向面の左右方向の長さである。
【００５７】
第１の見切り２１は、第１掛かり幅ＫＷ１でパネル本体１０の前面１０ａと重なっている。より具体的には、第１の見切り２１の前面部２１ｂは、第１掛かり幅ＫＷ１でパネル本体１０の前面１０ａの側端部１０ａｘと重なっている。
【００５８】
第１掛かり幅ＫＷ１は、前面部２１ｂの幅Ｗ１の範囲内（例えば、０ｍｍを超え１０ｍｍ未満）で調整が可能である。例えば、第１の見切り２１を左右方向に動かすことで、第１掛かり幅ＫＷ１を調整することができる。このように、第１の見切り２１は、パネル本体１０の側面１０ｃに対する第１の見切り２１の左右方向の位置を調整可能である。
【００５９】
第１の見切り２１の左右方向の位置を調整することで、パネル本体１０の側面１０ｃよりも外側に位置する部分の長さＬ１を調整することができる。換言すれば、パネル１００の左右方向の長さを調整することができる。これにより、パネル１００とパネル１００側方の壁（第２の側壁ＳＷ２）との間の隙間を埋めることができ、意匠性をさらに向上させることができる。
【００６０】
この例では、前面部２１ｂの厚さ（前後方向の長さ）Ｔ２は、側面部２１ａの厚さ（左右方向の長さ）Ｔ１及び背面部２１ｃの厚さ（前後方向の長さ）Ｔ３よりも大きい。側面部２１ａの厚さＴ１は、背面部２１ｃの厚さＴ３と実質的に同じである。側面部２１ａの厚さＴ１及び背面部２１ｃの厚さＴ３は、例えば、１ｍｍ程度である。前面部２１ｂの厚さＴ２は、例えば、２ｍｍ程度である。
【００６１】
前面部２１ｂの幅Ｗ１（左右方向の長さ）は、例えば、側面部２１ａの厚さ（左右方向の長さ）Ｔ１よりも長い。このように、前面部２１ｂの幅Ｗ１を側面部２１ａの厚さよりも長くすることで、第１の見切り２１の左右方向の位置をより調整しやすくなる。これにより、パネル１００とパネル１００側方の壁（第２の側壁ＳＷ２）との間の隙間を埋めやすくなるため、意匠性をさらに向上させることができる。
【００６２】
上述のように、第３の見切り２３は、例えば、左右が逆転する以外は、第１の見切り２１と同じものである。したがって、上記の第１の見切り２１の各寸法は、第３の見切り２３にも左右を逆転させて適用することができる。
【００６３】
図５（ａ）及び図５（ｂ）は、実施形態に係るパネルの一部を模式的に表す断面図である。  
なお、図５（ｂ）は、図５（ａ）に示した領域Ｒ３の拡大図である。  
図５（ａ）及び図５（ｂ）に表したように、第２の見切り２２は、例えば、パネル本体１０の上面１０ｄを覆うための上面部２２ａと、パネル本体１０の前面１０ａの上端部１０ａｙを覆うための前面部（第２前面部）２２ｂと、パネル本体１０の背面１０ｂの上端部１０ｂｙを覆うための背面部（第２背面部）２２ｃと、を有する。
【００６４】
上面部２２ａは、例えば、前後方向及び左右方向に拡がる。上面部２２ａは、パネル本体１０の上面１０ｄの上方に位置する。上面部２２ａは、パネル本体１０の上面１０ｄと対向する面（第４対向面）を有する。
【００６５】
前面部２２ｂは、例えば、上下方向及び左右方向に拡がる。前面部２２ｂは、例えば、上面部２２ａに対して略垂直に接続される。前面部２２ｂは、パネル本体１０の前面１０ａよりも前方に位置する。前面部２２ｂの少なくとも一部は、パネル本体１０の前面１０ａの上端部１０ａｙの前方に位置する。前面部２２ｂは、パネル本体１０の前面１０ａ（上端部１０ａｙ）と対向する面（第５対向面）を有する。
【００６６】
背面部２２ｃは、例えば、上下方向及び左右方向に拡がる。背面部２２ｃは、例えば、上面部２２ａに対して略垂直に接続される。背面部２２ｃは、パネル本体１０の背面１０ｂよりも後方に位置する。背面部２２ｃの少なくとも一部は、パネル本体１０の背面１０ｂの上端部１０ｂｙの後方に位置する。背面部２２ｃは、パネル本体１０の背面１０ｂ（上端部１０ｂｙ）と対向する面（第６対向面）を有する。
【００６７】
前面部２２ｂと背面部２２ｃとの間の距離Ｄ２は、パネル本体１０の厚さＴＸと実質的に同じであるか、パネル本体１０の厚さＴＸよりも大きい。前面部２２ｂと背面部２２ｃとの間の距離Ｄ２は、例えば、３．５ｍｍ程度である。距離Ｄ２は、換言すれば、上面部２２ａの第４対向面の前後方向の長さである。
【００６８】
この例では、前面部２２ｂの高さ（上下方向の長さ）Ｈ１は、背面部２２ｃの高さ（上下方向の長さ）Ｈ２よりも短い。前面部２２ｂの高さＨ１は、例えば、２ｍｍ程度である。背面部２２ｃの高さＨ２は、例えば、１０ｍｍ程度である。前面部２２ｂの高さＨ１は、換言すれば、前面部２２ｂの第５対向面の上下方向の長さである。背面部２２ｃの高さＨ２は、換言すれば、背面部２２ｃの第６対向面の上下方向の長さである。
【００６９】
第２の見切り２２は、第２掛かり幅ＫＷ２でパネル本体１０の前面１０ａと重なっている。より具体的には、第２の見切り２２の前面部２２ｂは、第２掛かり幅ＫＷ２でパネル本体１０の前面１０ａの上端部１０ａｙと重なっている。
【００７０】
第２掛かり幅ＫＷ２は、例えば、前面部２２ｂの高さＨ１の範囲内（例えば、０ｍｍを超え２ｍｍ未満）で調整が可能であってもよい。例えば、第２の見切り２２を上下方向に動かすことで、第２掛かり幅ＫＷ２を調整することができる。このように、第２の見切り２２は、例えば、パネル本体１０の上面１０ｄに対する第２の見切り２２の上下方向の位置を調整可能であってもよい。
【００７１】
例えば、第２の見切り２２の上下方向の位置を調整することで、パネル本体１０の上面１０ｄよりも上側に位置する部分の長さＬ２を調整することができる。換言すれば、パネル１００の上下方向の長さを調整することができる。
【００７２】
この例では、上面部２２ａの厚さ（上下方向の長さ）Ｔ４は、前面部２２ｂの厚さ（前後方向の長さ）Ｔ５及び背面部２２ｃの厚さ（前後方向の長さ）Ｔ６と実質的に同じである。上面部２２ａの厚さＴ４、前面部２２ｂの厚さＴ５、及び背面部２２ｃの厚さＴ６は、例えば、１ｍｍ程度である。
【００７３】
前面部２２ｂの高さＨ１（上下方向の長さ）は、例えば、上面部２２ａの厚さＴ４（上下方向の長さ）よりも長い。このように、前面部２２ｂの高さＨ１を上面部２２ａの厚さＴ４よりも長くすることで、第２の見切り２２の上下方向の位置をより調整しやすくなる。
【００７４】
実施形態において、第２の見切り２２の前面部２２ｂ（第２前面部）の上下方向の長さ（すなわち、前面部２２ｂの高さＨ１）は、例えば、第１の見切り２１のの前面部２１ｂ（第１前面部）の左右方向の長さ（すなわち、前面部２１ｂの幅Ｗ１）よりも短い。このように、第２前面部の長さを短くすることで、第２の見切り２２の存在感を抑制でき、意匠性を向上させることができる。
【００７５】
一方で、第１前面部２１ｂの左右方向の長さを長くすることで、第１の見切り２１の左右方向の位置を調整できる範囲を広くすることができる。これにより、パネル１００とパネル１００側方の壁（第２の側壁ＳＷ２）との間の隙間を埋めやすくなるため、意匠性をさらに向上させることができる。
【００７６】
図６（ａ）及び図６（ｂ）は、実施形態に係るパネルの一部を模式的に表す断面図である。  
なお、図６（ｂ）は、図６（ａ）に示した領域Ｒ４の拡大図である。  
図６（ａ）及び図６（ｂ）に表したように、第４の見切り２４は、例えば、パネル本体１０の下面１０ｅを覆うための下面部２４ａと、パネル本体１０の前面１０ａの下端部１０ａｚを覆うための前面部（第３前面部）２４ｂと、パネル本体１０の背面１０ｂの下端部１０ｂｚを覆うための背面部（第３背面部）２４ｃと、を有する。
【００７７】
下面部２４ａは、例えば、前後方向及び左右方向に拡がる。下面部２４ａは、パネル本体１０の下面１０ｅの下方に位置する。下面部２４ａは、パネル本体１０の下面１０ｅと対向する面（第７対向面）を有する。
【００７８】
前面部２４ｂは、例えば、上下方向及び左右方向に拡がる。前面部２４ｂは、例えば、下面部２４ａに対して略垂直に接続される。前面部２４ｂは、パネル本体１０の前面１０ａよりも前方に位置する。前面部２４ｂの少なくとも一部は、パネル本体１０の前面１０ａの下端部１０ａｚの前方に位置する。前面部２４ｂは、パネル本体１０の前面１０ａ（下端部１０ａｚ）と対向する面（第８対向面）を有する。
【００７９】
背面部２４ｃは、例えば、上下方向及び左右方向に拡がる。背面部２４ｃは、例えば、下面部２４ａに対して略垂直に接続される。背面部２４ｃは、パネル本体１０の背面１０ｂよりも後方に位置する。背面部２４ｃの少なくとも一部は、パネル本体１０の背面１０ｂの下端部１０ｂｚの後方に位置する。背面部２４ｃは、パネル本体１０の背面１０ｂ（下端部１０ｂｚ）と対向する面（第９対向面）を有する。
【００８０】
前面部２４ｂと背面部２４ｃとの間の距離Ｄ３は、パネル本体１０の厚さＴＸと実質的に同じであるか、パネル本体１０の厚さＴＸよりも大きい。前面部２４ｂと背面部２４ｃとの間の距離Ｄ３は、例えば、３．５ｍｍ程度である。距離Ｄ３は、換言すれば、下面部２４ａの第７対向面の前後方向の長さである。
【００８１】
この例では、前面部２４ｂの高さ（上下方向の長さ）Ｈ３は、背面部２４ｃの高さ（上下方向の長さ）Ｈ４よりも短い。前面部２４ｂの高さＨ３は、例えば、２ｍｍ程度である。背面部２４ｃの高さＨ４は、例えば、１０ｍｍ程度である。前面部２４ｂの高さＨ３は、換言すれば、前面部２４ｂの第８対向面の上下方向の長さである。背面部２４ｃの高さＨ４は、換言すれば、背面部２４ｃの第９対向面の上下方向の長さである。
【００８２】
第４の見切り２４は、第３掛かり幅ＫＷ３でパネル本体１０の前面１０ａと重なっている。より具体的には、第４の見切り２４の前面部２４ｂは、第３掛かり幅ＫＷ３でパネル本体１０の前面１０ａの下端部１０ａｚと重なっている。
【００８３】
第３掛かり幅ＫＷ３は、例えば、前面部２４ｂの高さＨ３の範囲内（例えば、０ｍｍを超え２ｍｍ未満）で調整が可能であってもよい。例えば、第４の見切り２４を上下方向に動かすことで、第３掛かり幅ＫＷ３を調整することができる。このように、第４の見切り２４は、例えば、パネル本体１０の下面１０ｅに対する第４の見切り２４の上下方向の位置を調整可能であってもよい。
【００８４】
例えば、第４の見切り２４の上下方向の位置を調整することで、パネル本体１０の下面１０ｅよりも下側に位置する部分の長さＬ３を調整することができる。換言すれば、パネル１００の上下方向の長さを調整することができる。これにより、例えば、パネル１００の下方にカウンターを設ける場合に、パネル１００とカウンターとの間の隙間を埋めることができ、意匠性をさらに向上させることができる。
【００８５】
この例では、下面部２４ａの厚さ（上下方向の長さ）Ｔ７は、前面部２４ｂの厚さ（前後方向の長さ）Ｔ８及び背面部２４ｃの厚さ（前後方向の長さ）Ｔ９と実質的に同じである。下面部２４ａの厚さＴ７、前面部２４ｂの厚さＴ８、及び背面部２４ｃの厚さＴ９は、例えば、１ｍｍ程度である。
【００８６】
前面部２４ｂの高さＨ３（上下方向の長さ）は、例えば、下面部２４ａの厚さＴ７（上下方向の長さ）よりも長い。このように、前面部２４ｂの高さＨ３を下面部２４ａの厚さＴ７よりも長くすることで、第４の見切り２４の上下方向の位置をより調整しやすくなる。
【００８７】
図７（ａ）及び図７（ｂ）は、実施形態に係るパネルの一部を模式的に表す斜視図である。  
図８（ａ）及び図８（ｂ）は、実施形態に係るパネルの一部を模式的に表す斜視図である。  
図７（ａ）、図７（ｂ）、図８（ａ）、及び図８（ｂ）に表したように、第１の見切り２１は、第２の見切り２２が嵌め込まれる嵌合部３０（第１嵌合部３１）を有する。
【００８８】
なお、以下では、第１の見切り２１に第２の見切り２２が嵌め込まれる第１嵌合部３１が設けられる例について説明するが、実施形態においては、第２の見切り２２に第１の見切り２１が嵌め込まれる第１嵌合部３１が設けられてもよい。
【００８９】
第１嵌合部３１は、例えば、第１の見切り２１の上部に設けられる。第１嵌合部３１は、例えば、側面部（嵌合側面部）３１ａと、前面部（嵌合前面部）３１ｂと、上面部（嵌合上面部）３１ｃと、を有する。側面部３１ａは、例えば、前後方向及び上下方向に拡がり、第１の見切り２１の側面部２１ａと連続する。側面部３１ａは、第１の見切り２１の側面部２１ａと一体に形成される。前面部３１ｂは、例えば、左右方向及び上下方向に拡がり、第１の見切り２１の前面部２１ｂと連続する。前面部３１ｂは、第１の見切り２１の第１前面部２１ｂと一体に形成される。上面部３１ｃは、例えば、前後方向及び左右方向に拡がり、側面部３１ａ及び前面部３１ｂと一体に形成され、側面部３１ａ及び前面部３１ｂのそれぞれに対して略垂直に設けられる。前面部３１ｂは、第２の見切り２２の第２前面部２２ｂを覆う。上面部３１ｂは、第２の見切り２２の上面部２２ａを覆う。
【００９０】
前面部３１ｂの上部には、後方から前方に向かって窪む凹部３６ａが設けられている。凹部３６ａは、例えば、前面部３１ｂの右側端部から左側端部（側面部３１ａと接続される部分）まで連続するように設けられる。凹部３６ａは、第２の見切り２２の前面部２２ｂの側端部を収納するための空間である。換言すれば、第１の見切り２１の第１嵌合部３１に第２の見切り２２を嵌合させた状態において、第２の見切り２２の前面部２２ｂの側端部は、凹部３６ａに収納される。このような凹部３６ａを設けることで、第１の見切り２１の第１嵌合部３１に第２の見切り２２を嵌合させる際に、第２の見切り２２の前面部２２ｂが第１の見切り２１に干渉することを抑制できる。
【００９１】
また、第１の見切り２１の背面部２１ｃと上面部３１ｃの後端部との間には、第１の見切り２１の背面部２１ｃと上面部３１ｃの後端部とを接続する部材は設けられていない。換言すれば、第１嵌合部３１は、第１の見切り２１の背面部２１ｃと上面部３１ｃの後端部との間に、切り欠き部３６ｂを有する。切り欠き部３６ｂは、第２の見切り２２の背面部２２ｃの側端部を収納するための空間である。換言すれば、第１の見切り２１の第１嵌合部３１に第２の見切り２２を嵌合させた状態において、第２の見切り２２の背面部２２ｃの側端部は、切り欠き部３６ｂに収納される。このような切り欠き部３６ｂを設けることで、第１の見切り２１の第１嵌合部３１に第２の見切り２２を嵌合させる際に、第２の見切り２２の背面部２２ｃが第１の見切り２１及び壁（第１の側壁ＳＷ１）に干渉することを抑制できる。
【００９２】
例えば、パネル本体１０の側方及び上方に見切り２０を設ける場合、側方側の見切り（第１の見切り２１）と上方側の見切り（第２の見切り２２）とを、コーナーピースによって接続することが考えられる。しかし、コーナーピースを設けるとパネル１００のコーナー部に存在感が出てしまい、パネル１００の意匠性が悪化するという問題がある。
【００９３】
これに対し、実施形態では、第１の見切り２１と第２の見切り２２とを嵌合部３０（第１嵌合部３１）によって接続することで、パネル１００のコーナー部分に存在感が出ることを抑制できる。これにより、パネル１００の意匠性を向上させることができる。また、実施形態においては、嵌合部３０を第１の見切り２１に一体に形成することで、パネル１００のコーナー部分に存在感が出ることをさらに抑制でき、意匠性をさらに向上させることができる。
【００９４】
また、実施形態においては、パネル１００のサイズ変更に伴い、見切り２０の端部（例えば、第２の見切り２２の側端部、あるいは、第１の見切り２１の上端部）を切断した場合にも、見切り２０の切断部分を嵌合部３０（第１嵌合部３１）の内部に収納することができる。これにより、使用者が見切り２０の切断部分でけがをすることを抑制できる。
【００９５】
また、上記のように、実施形態において、第１嵌合部３１は、第２の見切り２２に設けられてもよい。このように、嵌合部３０（第１嵌合部３１）を第２の見切り２２に設けることで、第２の見切り２２の上下方向の位置を調整しやすくなる。
【００９６】
第２の見切り２２に第１嵌合部３１が設けられる場合、第１嵌合部３１の前面部３１ｂは、第２の見切り２２の前面部２２ｂと一体に形成され、前面部２２ｂと連続する。第１嵌合部３１の上面部３１ｃは、第２の見切り２２の上面部２２ａと一体に形成され、上面部２２ａと連続する。第１嵌合部３１の側面部３１ａは、前面部３１ｂ及び上面部３１ｃと一体に形成され、前面部３１ｂ及び上面部３１ｃのそれぞれに対して略垂直に設けられる。側面部３１ａは、第１の見切り２１の側面部２１ａを覆う。前面部３１ｂは、第１の見切り２１の第１前面部２１ｂを覆う。嵌合部３０を第２の見切り２２に一体に形成することで、パネル１００のコーナー部分に存在感が出ることをさらに抑制でき、意匠性をさらに向上させることができる。凹部３６ａは、例えば、前面部３１ｂの下端部から上端部（上面部３１ｃと接続される部分）まで連続するように設けられる。
【００９７】
また、この場合、第２の見切り２２の第１嵌合部３１に第１の見切り２１を嵌合させた状態において、第１の見切り２１の前面部２１ｂの上端部は凹部３６ａに収納され、第１の見切り２１の背面部２１ｃの上端部は、切り欠き部３６ｂに収納される。
【００９８】
このように、第１嵌合部３１は、第１の見切り２１及び第２の見切り２２の一方に設けられ、他方が嵌め込まれるものであればよいが、第１の見切り２１に設けられることが好ましい。第１嵌合部３１を第１の見切り２１に設けることで、第１の見切り２１の左右方向の位置が調整しやすくなる。これにより、パネル１００とパネル１００側方の壁（第２の側壁ＳＷ２）との間の隙間を埋めやすくして、意匠性をさらに向上させることができる。
【００９９】
図９（ａ）及び図９（ｂ）は、実施形態に係るパネルの一部を模式的に表す斜視図である。  
図１０（ａ）及び図１０（ｂ）は、実施形態に係るパネルの一部を模式的に表す斜視図である。  
図９（ａ）、図９（ｂ）、図１０（ａ）、及び図１０（ｂ）に表したように、第１の見切り２１は、例えば、第４の見切り２４が嵌め込まれる嵌合部３０（第２嵌合部３２）を有する。
【０１００】
なお、以下では、第１の見切り２１に第４の見切り２４が嵌め込まれる第２嵌合部３２が設けられる例について説明するが、実施形態においては、第４の見切り２４に第１の見切り２１が嵌め込まれる第２嵌合部３２が設けられてもよい。
【０１０１】
第２嵌合部３２は、例えば、第１の見切り２１の下部に設けられる。第２嵌合部３２は、例えば、側面部３２ａと、前面部３２ｂと、を有する。側面部３２ａは、例えば、前後方向及び上下方向に拡がり、第１の見切り２１の側面部２１ａと連続する。側面部３２ａは、第１の見切り２１の側面部２１ａと一体に形成される。前面部３２ｂは、例えば、左右方向及び上下方向に拡がり、第１の見切り２１の前面部２１ｂと連続する。前面部３２ｂは、第１の見切り２１の第１前面部２１ｂと一体に形成される。前面部３２ｂは、第４の見切り２４の第３前面部２４ｂを覆う。
【０１０２】
なお、この例では、第２嵌合部３２には、下面部は設けられていないが、第２嵌合部３２は、側面部３２ａ及び前面部３２ｂと一体に形成され、側面部３２ａ及び前面部３２ｂのそれぞれに対して略垂直に設けられる下面部を有していてもよい。例えば、パネル１００の下方にカウンターなどが設けられる場合には、下面部を設けないことが好ましい。
【０１０３】
前面部３２ｂの下部には、後方から前方に向かって窪む凹部３７ａが設けられている。凹部３７ａは、例えば、前面部３２ｂの右側端部から左側端部（側面部３２ａと接続される部分）まで連続するように設けられる。凹部３７ａは、第４の見切り２４の前面部２４ｂの側端部を収納するための空間である。換言すれば、第１の見切り２１の第２嵌合部３２に第４の見切り２４を嵌合させた状態において、第４の見切り２４の前面部２４ｂの側端部は、凹部３７ａに収納される。このような凹部３７ａを設けることで、第１の見切り２１の第２嵌合部３２に第４の見切り２４を嵌合させる際に、第４の見切り２４の前面部２４ｂが第１の見切り２１に干渉することを抑制できる。
【０１０４】
また、第１の見切り２１の背面部２１ｃの下方には、第２嵌合部３２の部材は設けられていない。換言すれば、第２嵌合部３２は、第１の見切り２１の背面部２１ｃの下方に、切り欠き部３７ｂを有する。切り欠き部３７ｂは、第４の見切り２４の背面部２４ｃの側端部を収納するための空間である。換言すれば、第１の見切り２１の第２嵌合部３２に第４の見切り２４を嵌合させた状態において、第４の見切り２４の背面部２４ｃの側端部は、切り欠き部３７ｂに収納される。このような切り欠き部３７ｂを設けることで、第１の見切り２１の第２嵌合部３２に第４の見切り２４を嵌合させる際に、第４の見切り２４の背面部２４ｃが第１の見切り２１及び壁（第１の側壁ＳＷ１）に干渉することを抑制できる。
【０１０５】
このように、第１の見切り２１と第４の見切り２４とを第２嵌合部３２によって接続することで、パネル１００のコーナー部分に存在感が出ることを抑制できる。これにより、パネル１００の意匠性をさらに向上させることができる。また、パネル１００のサイズ変更に伴い、見切り２０の端部（例えば、第４の見切り２４の側端部、あるいは、第１の見切り２１の下端部）を切断した場合にも、見切り２０の切断部分を第２嵌合部３２の内部に収納することができる。これにより、使用者が見切り２０の切断部分でけがをすることを抑制できる。
【０１０６】
また、上記のように、実施形態において、第２嵌合部３２は、第４の見切り２４に設けられてもよい。第４の見切り２４に第２嵌合部３２が設けられる場合、第２嵌合部３２の前面部３２ｂは、第４の見切り２４の前面部２４ｂと一体に形成され、前面部２４ｂと連続する。第２嵌合部３２の側面部３２ａは、前面部３２ｂと一体に形成され、前面部３２ｂに対して略垂直に設けられる。凹部３７ａは、例えば、前面部３２ｂの上端部から下端部まで連続するように設けられる。
【０１０７】
また、この場合、第４の見切り２４の第２嵌合部３２に第１の見切り２１を嵌合させた状態において、第１の見切り２１の前面部２１ｂの下端部は凹部３７ａに収納され、第１の見切り２１の背面部２１ｃの下端部は、切り欠き部３７ｂに収納される。
【０１０８】
このように、第２嵌合部３２は、第１の見切り２１及び第４の見切り２４の一方に設けられ、他方が嵌め込まれるものであればよいが、第１の見切り２１に設けられることが好ましい。第２嵌合部３２を第１の見切り２１に設けることで、第１の見切り２１の左右方向の位置が調整しやすくなる。これにより、パネル１００とパネル１００側方の壁（第２の側壁ＳＷ２）との間の隙間を埋めやすくして、意匠性をさらに向上させることができる。
【０１０９】
図１１は、実施形態に係るパネルの一部を模式的に表す背面図である。  
図１１に表したように、パネル１００は、パネル１００を壁に固定するための両面テープ４０と接着剤５０とをさらに備える。パネル１００は、両面テープ４０及び接着剤５０により第１の側壁ＳＷ１に取り付けられる。
【０１１０】
両面テープ４０は、パネル本体１０の背面１０ｂにおいて、見切り２０から離間した位置に設けられる。より具体的には、両面テープ４０は、第１の見切り２１から右側方に離間した位置、及び、第２の見切り２２から下方に離間した位置に設けられる。また、図１１では省略しているが、両面テープ４０は、第３の見切り２３から左側方に離間した位置、及び、第４の見切り２４から上方に離間した位置にも設けられる。つまり、両面テープ４０は、見切り２０の内側に、見切り２０から離間するように設けられる。両面テープ４０は、例えば、見切り２０から１０ｍｍ程度離れた位置に設けられる。
【０１１１】
両面テープの厚さ（前後方向の長さ）は、例えば、第１の見切り２１の背面部２１ｃの厚さＴ３、第２の見切り２２の背面部２２ｃの厚さＴ６、及び第４の見切り２４の背面部２４ｃの厚さＴ９と実質的に同じである。両面テープの厚さは、例えば、１ｍｍ程度である。
【０１１２】
接着剤５０は、パネル本体１０の背面１０ｂにおいて、両面テープ４０と見切り２０との間に設けられる。より具体的には、接着剤５０は、両面テープ４０と第１の見切り２１との間の領域、及び、両面テープ４０と第２の見切り２２との間の領域に設けられる。また、図１１では省略しているが、接着剤５０は、両面テープ４０と第３の見切り２３との間の領域、及び、両面テープ４０と第４の見切り２４との間の領域にも設けられる。つまり、接着剤５０は、見切り２０の内側かつ両面テープ４０の外側の領域に設けられる。これにより、パネル本体１０の背面１０ｂと壁（第１の側壁ＳＷ１）との間であって、見切り２０及び両面テープ４０に囲まれた空間を、接着剤５０によって埋めることができる。
【０１１３】
また、例えば、以下のような取り付け方法によって、パネル１００を壁（第１の側壁ＳＷ１）に取り付けることができる。まず、パネル本体１０の背面１０ｂにおいて、見切り２０から離間した位置に両面テープ４０を設ける。次に、パネル本体１０の背面１０ｂにおいて、両面テープ４０と見切り２０との間に接着剤５０を設ける。次に、パネル１００を壁に設置し、接着剤５０が硬化する前に見切り２０の位置を調整する。これにより、例えば、パネル１００とパネル１００側方の壁（第２の側壁ＳＷ２）との間の隙間を埋めることができる。そして、接着剤５０を硬化させて、両面テープ４０と接着剤５０とによってパネル１００を壁に固定する。
【０１１４】
このように、両面テープ４０と見切り２０との間に接着剤５０を設けることで、両面テープ４０によってパネル本体１０を壁（第１の側壁ＳＷ１）に固定するとともに、接着剤５０によって見切り２０を壁（第１の側壁ＳＷ１）に固定することができる。これにより、パネル１００を壁に対してしっかりと固定することができる。
【０１１５】
なお、上記のように、パネル１００を壁に設置し、接着剤５０が硬化する前に見切り２０を動かして見切りの位置を調整した場合にも、接着剤５０は、見切り２０に追従する。そのため、見切り２０は、移動した場所で接着剤５０により固定される。
【０１１６】
また、第１の見切り２１と第３の見切り２３は、例えば、同じ見切りから作製することができる。例えば、上下に嵌合部３０が設けられた見切りにおいて、一端側の嵌合部３０の端面（例えば、下端面）を切断することで、端面が切断された側を第２嵌合部３２とする第１の見切り２１を作製することができる。また、同じ見切りにおいて、他端側の嵌合部３０の端面（例えば、上端面）を切断し上下を反転させることで、端面が切断された側を第２嵌合部３２とする第３の見切り２３を作製することができる。この嵌合部３０の端面の切断は、例えば、施工現場で行われる。
【０１１７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、パネルなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１８】
１０ パネル本体、  １０ａ 前面、  １０ａｘ 側端部、  １０ａｙ 上端部、  １０ａｚ 下端部、  １０ｂ 背面、  １０ｂｘ 側端部、  １０ｂｙ 上端部、  １０ｂｚ 下端部、  １０ｃ 側面、  １０ｄ 上面、  １０ｅ 下面、  ２０ 見切り、  ２１ 第１の見切り、  ２１ａ 側面部、  ２１ｂ 前面部（第１前面部）、  ２１ｃ 背面部（第１背面部）、  ２２ 第２の見切り、  ２２ａ 上面部、  ２２ｂ 前面部（第２前面部）、  ２２ｃ 背面部（第２背面部）、  ２３ 第３の見切り、  ２４ 第４の見切り、  ２４ａ 下面部、  ２４ｂ 前面部（第３前面部）、  ２４ｃ 背面部（第３背面部）、  ３０ 嵌合部、  ３１ 第１嵌合部、  ３１ａ 側面部（嵌合側面部）、  ３１ｂ 前面部（嵌合前面部）、  ３１ｃ 上面部（嵌合上面部）、  ３２ 第２嵌合部、  ３２ａ 側面部、  ３２ｂ 前面部、  ３６ａ 凹部、  ３６ｂ 切り欠き部、  ３７ａ 凹部、  ３７ｂ 切り欠き部、  ４０ 両面テープ、  ５０ 接着剤、  １００ パネル、  ２００ キャビネット、  ３００ 手洗器、  ５００ トイレシステム、  Ｄ１〜Ｄ３ 距離、  ＦＳ 床面、  Ｈ１〜Ｈ４ 高さ、  Ｌ１〜Ｌ３ 長さ、  ＫＷ１〜ＫＷ３ 第１〜第３掛かり幅、  Ｒ１〜Ｒ４ 領域、  ＳＷ１、ＳＷ２ 第１、第２の側壁、  Ｔ１〜Ｔ９、ＴＸ 厚さ、  ＴＲ トイレ室、  Ｗ１、Ｗ２ 幅
【図１】
2020051073.tif 000003
【図２】
2020051073.tif 000004
【図３】
2020051073.tif 000005
【図４】
2020051073.tif 000006
【図５】
2020051073.tif 000007
【図６】
2020051073.tif 000008
【図７】
2020051073.tif 000009
【図８】
2020051073.tif 000010
【図９】
2020051073.tif 000011
【図１０】
2020051073.tif 000012
【図１１】
2020051073.tif 000013